(57)【特許請求の範囲】
【請求項１】
底部に清掃シートが設置される基台の上部に、前記清掃シートの縁部を基台との間で挟んで固定する押え姿勢と基台から離れて清掃シートの固定を解除する開放姿勢との間で回動する押え部材が設けられている清掃用モップにおいて、
前記押え部材の基端部は回動支持部を介して前記基台に回動自在に支持され、押え部材の先部と基台との間には、互いに掛止して押え部材を前記押え姿勢でロックする掛止手段が設けられており、
前記回動支持部では、押え部材と基台のいずれか一方に軸が、他方に前記軸が回動する凹部が形成されて、前記凹部には、押え部材の基端部を基台の下面方向へ押したときに、押え部材を基台の上面に沿って且つ前記掛止手段の掛止を解除する方向へ移動させる傾斜部が設けられており、
前記押え部材の基端部には、押え部材が前記押え姿勢のときに、前記基台の下面に向く第１の掛止辺と、第１の掛止辺よりも前記掛止手段から離れた位置にあって、前記押え姿勢のときに基台の上面に向けて延びる第２の掛止辺とが設けられ、
基台には付勢手段が設けられ、この付勢手段には、押え部材が前記押え姿勢のときに、前記第１の掛止辺を上方へ押圧し、押え部材が前記傾斜部に沿って移動して前記掛止手段の掛止が解除されたときに、押え部材の基端部を押圧して押え部材を開放姿勢へ回動させる回動力を与え、押え部材が前記開放姿勢へ回動したときに、前記第２の掛止辺に当接して押え部材を前記開放姿勢で安定させる付勢突起が設けられていることを特徴とする清掃用モップ。
【請求項２】
前記付勢手段は、基台の下面に沿って延び、自由端が押え部材の基端部側に向けられた弾性片である請求項１記載の清掃用モップ。
【請求項３】
前記付勢突起には、押え姿勢のときの押え部材の第１の掛止辺を上方へ押圧する部分と、押え部材が前記傾斜部に沿って移動して前記掛止手段の掛止が解除されたときに、押え部材の基端部を押圧して押え部材を開放姿勢へ回動させる回動力を与える部分とを有している請求項２記載の清掃用モップ。
【発明の詳細な説明】
【０００１】
【発明の属する技術分野】
本発明は、基台の底部に清掃用のシートを設置して、拭き取り掃除を行なうための清掃用モップに関する。
【０００２】
【従来の技術】
図４は、従来の清掃用モップを示す外観斜視図である。
図４に示される掃除用モップの基台１は、主に上基台２と、前記上基台２の外縁に装着され且つ上基台２の底面を覆う滑止め部材３とから構成されている。例えば、上基台２は合成樹脂を射出成形することにより形成されており、滑止め部材３は常温で顕著な弾性を示す高分子物質（エラストマー）などによって形成されている。上基台２の中央には、連結部４が設けられており、この連結部４にジョイント７が連結され、このジョイント７がモップの柄に連結される。
【０００３】
上基台２の長手方向の両側に位置する固定部１０，１０では、上基台２に凹状に成形された受部１１およびこの受部１１に嵌合される押え部材１２が設けられている。押え部材１２は、前記連結部４側に位置するヒンジ部１０Ａを支点として回動自在に支持されている。
受部１１には、円弧穴１４，１４が開口し、また前記ヒンジ部１０Ａと逆側の位置に、爪受部１５が一体に形成されている。押え部材１２の下面には、前記爪受部１５に掛止される掛止爪１２ａが一体に形成され、また前記円弧穴１４，１４内に介入する押え爪１２ｂ，１２ｂが一体に形成されている。
【０００４】
前記清掃用モップの基台１の外周には、一点鎖線で示すように所定形状の清掃シートＳが設置される。清掃シートＳは、滑止め部材３の下面に設置され、その両縁部Ｓａ，Ｓａが上基台２の側方から上面に巻付けられる。このとき、固定部１０，１０では、押え部材１２，１２を上向きに回動させて受部１１から離しておく。そして前記清掃シートＳの縁部Ｓａ，Ｓａを爪受部１５の側方へ引き寄せ、そのまま押え部材１２を回動させ、この押え部材１２を受部１１に押し付ける。
このとき、押え部材１２に形成された押え爪１２ｂ，１２ｂにより清掃シートＳが円弧穴１４，１４内に押し込まれるとともに、掛止爪１２ａが爪受部１５の穴１５ａ内に掛止され、押え部材１２が閉じられた状態でロックされる。清掃シートＳの側部は、前記押え爪１２ｂ，１２ｂと円弧穴１４，１４との間に挟持されて、外れ止めとなる。
【０００５】
【発明が解決しようとする課題】
上記において、清掃シートＳを装着するとき、または清掃シートＳを外す際に、ロック状態にある固定部１０の押え部材１２を上方ヘ回動させることが必要になる。このときの操作としては、円弧溝１１ｂに指先を挿入し、押え部材１２の内面の縁部１２ｃを上方に押し上げ、爪受部１５の穴１５ａに掛止されている掛止爪１２ａを強制的に外すことになる。
しかし、円弧溝１１ｂに指先を差し込んで押上げる操作は非常に面倒であり、また掛止爪１２ａを穴１５ａから外す際の抵抗力が非常に大きいため、弱い力では押え部材１２を確実に持ち上げられないことがある。
【０００６】
また押え部材１２を無理に押上げようとすると、掛止爪１２ａを損傷することがある。掛止爪１２ａが損傷すると、この清掃モップは使用できなくなる。
さらに上方に押上げられた押え部材１２から手を離すと、押え部材１２が自重で回動して閉じ状態となってしまうため、新たに清掃シートＳを取付けるときに、縁部Ｓａを押え部材１２の下に入れるために、片手で縁部Ｓａを持ち、他方の手で押え部材１２を再度持ち上げるという煩雑な操作が必要になる。
【０００７】
本発明は上記従来の課題を解決するためのものであり、押え部材を簡単に開放状態とすることができ、また掛止手段の破損を防止できる清掃用モップを提供することを目的としている。
【０００８】
また本発明は、一度持ち上げられた押え部材の姿勢が維持され、次の清掃シートの取付けを容易とした清掃用モップを提供することを目的としている。
【０００９】
【課題を解決するための手段】
本発明は、底部に清掃シートが設置される基台の上部に、前記清掃シートの縁部を基台との間で挟んで固定する押え姿勢と基台から離れて清掃シートの固定を解除する開放姿勢との間で回動する押え部材が設けられている清掃用モップにおいて、
前記押え部材の基端部は回動支持部を介して前記基台に回動自在に支持され、押え部材の先部と基台との間には、互いに掛止して押え部材を前記押え姿勢でロックする掛止手段が設けられており、
前記回動支持部では、押え部材と基台のいずれか一方に軸が、他方に前記軸が回動する凹部が形成されて、前記凹部には、押え部材の基端部を基台の下面方向へ押したときに、押え部材を基台の上面に沿って且つ前記掛止手段の掛止を解除する方向へ移動させる傾斜部が設けられており、
前記押え部材の基端部には、押え部材が前記押え姿勢のときに、前記基台の下面に向く第１の掛止辺と、第１の掛止辺よりも前記掛止手段から離れた位置にあって、前記押え姿勢のときに基台の上面に向けて延びる第２の掛止辺とが設けられ、
基台には付勢手段が設けられ、この付勢手段には、押え部材が前記押え姿勢のときに、前記第１の掛止辺を上方へ押圧し、押え部材が前記傾斜部に沿って移動して前記掛止手段の掛止が解除されたときに、押え部材の基端部を押圧して押え部材を開放姿勢へ回動させる回動力を与え、押え部材が前記開放姿勢へ回動したときに、前記第２の掛止辺に当接して押え部材を前記開放姿勢で安定させる付勢突起が設けられていることを特徴とするものである。
【００１０】
本発明では、押え部材の基端部を押す操作のみで、掛止手段での掛止が解除され、押え部材が上方ヘ回動可能となる。よって、従来のように押え部材を無理に押上げる操作が不要になり、清掃シートの取付けと取り外しを簡単にできる。また無理に押え部材を持ち上げる必要がないため、掛止手段の破損を未然に防止できる。
【００１１】
前記において、前記付勢手段は、基台の下面に沿って延び、自由端が押え部材の基端部側に向けられた弾性片である。
【００１２】
例えば、前記付勢突起には、押え姿勢のときの押え部材の第１の掛止辺を上方へ押圧する部分と、押え部材が前記傾斜部に沿って移動して前記掛止手段の掛止が解除されたときに、押え部材の基端部を押圧して押え部材を開放姿勢へ回動させる回動力を与える部分とを有しているものとなる。
【００１３】
この構成では、押え部材の基端部が押されて掛止手段による掛止が解除されたときには、弾性片により押え部材が持ち上げられその状態を維持するため、次に清掃シートを取付けるときに清掃シートの縁部を、基台と押え部材との間に挟みやすくなる。
【００１４】
なお、前記弾性片は金属製の板ばね、または合成樹脂製の基台に一体に形成された弾性腕などである。また付勢部材がコイルばねやトーションばねであってもよい。
【００１５】
以下、本発明について図面を参照して説明する。
図１は本発明の清掃用モップの実施の形態を示す斜視図、図２は図１のＩＩ−ＩＩ線における断面図であり、（Ａ）は閉鎖状態、（Ｂ）は押圧時の状態である。また図３は押え部材の開放状態を示した同じく断面図である。
図１に示される清掃用モップの基台２１の基本的な構成は図４に示したものと同じである。
すなわち、清掃用モップの基台２１は主に合成樹脂を射出成形して形成された上基台２２および熱可塑性エラストマーなどから形成された滑止め部材２３から構成されている。
【００１６】
上基台２２の表面中央には連結部２４が設けられ、その両側方には掛止手段として固定部３０，３０がそれぞれ設けられている。連結部２４は、一対の支軸部２５ａ，２５ｂ、回動部材２６およびＹ型ジョイント２７より構成されている。支軸部２５ａ，２５ｂの対向面には、Ｙ軸方向に突出する凸部２５ａ１，２５ｂ１（図示せず）がそれぞれ形成され、この凸部２５ａ１，２５ｂ１に回動部材２６が軸支されている。またＹ型ジョイント２７の先端は、２つに分岐形成されており、その間に回動部材２６が挿入されているとともに、分岐対向面上に形成された凸部２７ａ，２７ａが回動部材２６に軸支されている。これらにより、Ｙ型ジョイント２７は支軸部２５ａ，２５ｂを中心に上基台２２に対して様々の角度に回動できるようになっている。また、Ｙ型ジョイントの端面には、ねじ溝２７ｂが形成されている。この端面には、所定の長さに形成された柄が連結される。
【００１７】
固定部３０，３０は、上基台２２の上面において凹状に形成された受部３１と押え部材３２とで構成される。受部３１の両端には、凸溝３１ａおよび円弧溝３１ｂがそれぞれ形成されている。受部３１には、円弧穴３４，３４が開口している。また円弧溝３１ｂに近接する位置には爪受部３５が一体に形成されている。一方、押え部材３２の内面３２Ｃには、前記爪受部３５に掛止される掛止爪３２ａと、前記円弧穴３４，３４内に介入する押え爪３２ｂ，３２ｂが一体に形成されている。この実施の形態では、前記爪受部３５と掛止爪３２ａとで掛止手段が構成されている。
【００１８】
また受部３１の凸溝３１ａと押え部材３２の基端との間には、これらを連結する回動支持部３０Ａが構成されている。押え部材３２の内面３２Ｃの基端には、当接片３３，３３（当接部）が一体に形成されている。図２（Ａ）に示すように、当接片３３には、直線的に形成された第１の掛止辺３３ａと、これと直交する方向に延びる第２の掛止辺３３ｃ、および両掛止辺の境界となるやや凸曲面形状の回動辺３３ｂが形成されている。また当接片３３，３３の側部には、回転軸３８，３８が一体形成されている。
【００１９】
図２（Ａ）に示すように、上基台２２側では、前記凸溝３１ａ側の両側面には、前記回転軸３８，３８を支持する一対の軸受部（凹部）３１ｃ，３１ｃが形成されている。この軸受部３１ｃ，３１ｃは、略Ｊ字形状に切り欠かれ、その一部に傾斜部３１ｄ，３１ｄがそれぞれ形成されている。この傾斜部３１ｄ，３１ｄの傾斜方向は、掛止手段を構成する前記爪受部３５の方向へ向かうにしたがって基台の底面に近づく向きである。
【００２０】
両軸受部３１ｃと３１ｃの間には、付勢手段を構成する弾性片３６が設けられている。弾性片３６は、受部３１の左右の２箇所をＵ字状に切欠き、その間を連結部２４の方向に延長することにより、合成樹脂製の上基台２２と一体に形成されている。弾性片３６の先端には、傾斜長辺３６ａと傾斜短辺３６ｂから構成される付勢突起３６Ａが形成されている。この付勢突起３６Ａ側が前記当接片３３に弾圧されている。
上記清掃用モップの基台２１の外周には、図１に一点鎖線で示す清掃シートＳが固定される。清掃シートＳは、織布や不織布あるいは紙などで形成されている。
【００２１】
清掃シートＳは滑止め部材２３の下面に設置され、その両縁部Ｓａ，Ｓａが上基台２２の側方から上面に巻付けられる。このとき、固定部３０，３０では、押え部材３２，３２を上向き（β２方向）に回動させておき、前記清掃シートＳの縁部Ｓａ，Ｓａを爪受部３５の側方へ引き寄せ、そのまま押え部材３２をβ１方向へ回動させる。このとき、押え部材３２に形成された押え爪３２ｂ，３２ｂにより清掃シートＳが円弧穴３４，３４内に押し込まれるとともに、掛止爪３２ａが爪受部３５の穴３５ａ内に掛止され、押え部材３２が押え姿勢でロックされる。
【００２２】
図２（Ａ）に示すロック状態では、弾性片３６の傾斜長辺３６ａが、押え部材３２の基端部の第１の掛止辺３３ａを図示上方に押圧している。よって、押え部材３２の基端部に設けられた回転軸３８は、軸受部３１ｃに押し付けられ、しかも軸受部３１ｃは傾斜部３１ｄの最上部位置に押圧されている。また傾斜長辺３６ａと第１の掛止辺３３ａとはほぼ同一面で接触する。その結果、弾性片３６による付勢力Ｆ１は傾斜長辺３６ａから押え部材３２に対してわずかに時計方向へ作用する。よって、押え部材３２が不用意に上方ヘ開くことがない。
【００２３】
清掃シートＳを外すときには、図２（Ａ）の状態から、押え部材３２の基端部を下向きに押す。好ましくは、図２（Ｂ）で符号Ｆで示すように、斜め上方から押圧し、押え部材３２を下方で且つ連結部２４から離れる方向へ押す。すると、図２（Ｂ）に示すように、弾性片３６が図示下方へ撓むとともに、回転軸３８が軸受部３１ｃ内の傾斜部３１ｄに案内されて斜め下方向へ移動し、回転軸３８は図示右方向へ移動させられる。回転軸３８が傾斜部３１ｄに沿って図示右方向へ移動すると、掛止手段を構成する掛止爪３２ａが爪受部３５の穴３５ａから抜け出る。
このように、押え部材３２の基端部を押し、回転軸３８を傾斜部３１ｄに沿って掛止手段が外れる方向へずらす押圧操作を行うのみで、掛止手段の掛止を解除でき、掛止爪３２ａを爪受部３５から離すことができる。この時点で、清掃シートＳの縁部Ｓａの保持力が解除される。
【００２４】
図２（Ｂ）に示すように、押え部材３２の基端部が押され、回転軸３８が斜め前方下方へ押されると、弾性片３６の復元力あるいはその分力Ｆ２が当接片３３の回動辺３３ｂに作用し、押え部材３２には図示反時計回り（β２）方向へ回動力が作用する。したがって、図２（Ｂ）の状態から押え部材３２への押圧力を除去すると、または図２（Ｂ）の状態から手で押え部材３２をわずかにβ２方向へ持ち上げると、図３に示すように、弾性片３６の付勢力が、押え部材３２の基端部の掛止辺３３ｃを弾圧するようになり、押え部材３２は前記付勢力で図１に示すように上方ヘ大きく自動的に回動する。
また図３に示すように、上方ヘ回動した押え部材３２の掛止辺３３ｃと、弾性片３６の傾斜長辺３６ａとが安定して当接するため、押え部材３２が上方ヘ回動した状態に安定し、押え部材３２がβ１方向へ回動することがない。
【００２５】
したがって、次に装着する清掃シートＳの縁部Ｓａを、受部３１上に導きやすくなる。
なお、図の実施例では、押え部材に回転軸が形成され、基台側に軸受部となる凹部が形成されているが、基台側に軸を設け、押え部材側に軸受部となる凹部を形成し、この押え部材側に傾斜部を形成してもよい。
【００２６】
さらに、図の実施の形態では、図１に示すように、爪受部３５の穴３５ａに対して掛止爪３２ａが外側（連結部２４と逆側）から掛止される構造であるため、図２（Ｂ）に示すように、押え部材３２を図示右方向へ移動させることにより掛止手段の掛止を解除できるが、掛止爪３２ａが穴３５ａに対して内側から（連結部２４側）から掛止される構造のときには、押え部材３２の基部を押したときに図２（Ｂ）とは逆に押え部材３２を連結部２４側へ移動させるように傾斜部を形成すればよい。
【００２７】
【発明の効果】
以上のように本発明では、押え部材の基端部を軽く押圧するだけで、押え部材を簡単に開放状態とすることができる。また、掛止手段を無理な力で破損することもない。さらに付勢手段で押え部材が開放状態に支持できるようにしておくと、次の清掃シートを装着しやすくなる。
【図面の簡単な説明】
【図１】本発明における清掃用ポップを示す斜視図、
【図２】図１のＩＩ−ＩＩ線における断面図を示し、（Ａ）は押え状態、（Ｂ）は押え部材を押した状態である、
【図３】押え部材が上方ヘ回動した状態を示す断面図、
【図４】従来の清掃用モップを示す外観斜視図、
【符号の説明】
２１  基台
２２  上基台
３０Ａ  回動支持部
３１  受部
３１ａ  凸溝
３１ｂ  円弧溝
３１ｃ  軸受部（凹部）
３２  押え部材
３２ａ  掛止爪
３２ｂ  押え爪
３３  当接片（当接部）
３３ａ  第１の掛止辺
３３ｂ  回動辺
３３ｃ  第２の掛止辺
３４  円弧穴
３５  爪受部
３６  弾性片
３６ａ  傾斜長辺
３６ｂ  傾斜短辺
Ｓ  清掃シート
【図１】
0003695911.tif 000002
【図２】
0003695911.tif 000003
【図３】
0003695911.tif 000004
【図４】
0003695911.tif 000005